(57)【要約】【課題】鏡が設置された壁の裏側に電線を配索しなくて済む鏡用照明構造を提供する。【解決手段】鏡用照明構造１は、浴室の壁１１に設置された鏡２の左右両側の縁部分に設置された左右対称形状の一対のリフレクタ３Ｌ，３Ｒと、天井１２に設置され、リフレクタ３Ｌ，３Ｒそれぞれに向けて斜め上方から光を照射する一対の光源部４Ｌ，４Ｒと、を備えている。一方のリフレクタ３Ｌは、鏡２の左側の長辺に沿って上下に延びた薄板状に形成されている。他方のリフレクタ３Ｒは、鏡２の右側の長辺に沿って上下に延びた薄板状に形成されている。これら一対のリフレクタ３Ｌ，３Ｒは、光源部４Ｌ，４Ｒからの光を鏡２の正面側エリアに反射させて当該エリア（即ち鏡２の使用者がいる位置）を照明する。【選択図】図１
2020167086.tif 000002
【特許請求の範囲】
【請求項１】
壁に設置された鏡の縁部分または周囲の少なくとも一部に設置されるリフレクタと、
前記リフレクタよりも上方に設置され、前記リフレクタに向けて光を照射する光源部と、を備え、
前記リフレクタが、前記光源部からの光を前記鏡の正面側エリアに反射させて当該エリアを照明する
ことを特徴とする鏡用照明構造。
【請求項２】
前記リフレクタが複数の反射面を備えている
ことを特徴とする請求項１に記載の鏡用照明構造。
【請求項３】
前記リフレクタが前記光源部からの光を水平方向に反射させる
ことを特徴とする請求項２に記載の鏡用照明構造。
【請求項４】
前記リフレクタが前記光源部からの光を前記鏡の正面側エリアに分散させる
ことを特徴とする請求項１〜３の何れか１項に記載の鏡用照明構造。
【請求項５】
前記光源部が、発光素子と、該発光素子の光を前記リフレクタに集める集光レンズと、を備えている
ことを特徴とする請求項１〜４の何れか１項に記載の鏡用照明構造。
【請求項６】
前記鏡の左右両側の縁部分に設置される一対のリフレクタと、これらリフレクタそれぞれに向けて光を照射する一対の光源部と、を備えている
ことを特徴とする請求項１〜５の何れか１項に記載の鏡用照明構造。
【発明の詳細な説明】
【技術分野】
【０００１】
本発明は、鏡の正面側エリアを照明する鏡用照明構造に関するものである。
【背景技術】
【０００２】
従来より、浴室の壁や洗面所の壁などには鏡が設置されており、この鏡の近傍に照明装置が設置されていることが一般的である（例えば特許文献１を参照。）。
【先行技術文献】
【特許文献】
【０００３】
【特許文献１】特開２００３−１２００５５号公報
【発明の概要】
【発明が解決しようとする課題】
【０００４】
上述した従来技術においては、照明装置の配線を壁の裏側に配索する必要があった。このため、室内の面積が小さくなってしまうという問題や、鏡の設置作業が煩雑になってしまうという問題があった。
【０００５】
本発明は、上述した問題に鑑みてなされたものであり、鏡が設置された壁の裏側に電線を配索しなくて済む鏡用照明構造を提供することを目的としている。
【課題を解決するための手段】
【０００６】
本発明の鏡用照明構造は、壁に設置された鏡の縁部分または周囲の少なくとも一部に設置されるリフレクタと、前記リフレクタよりも上方に設置され、前記リフレクタに向けて光を照射する光源部と、を備え、前記リフレクタが、前記光源部からの光を前記鏡の正面側エリアに反射させて当該エリアを照明することを特徴とする。
【発明の効果】
【０００７】
本発明によれば、鏡が設置された壁以外に光源部を設置することができ、鏡が設置された壁には、リフレクタを設置するだけでよい。よって、鏡が設置された壁の裏側に電線を配索しなくて済む。
【図面の簡単な説明】
【０００８】
【図１】本発明の一実施形態にかかる鏡用照明構造が適用された浴室を示す図である。
【図２】図１の鏡用照明構造を上から見た図である。
【図３】図２の鏡用照明構造のＡ−Ａ線断面を示す図である。
【図４】図３の光源部の平面図である。
【図５】図４の光源部の側面図である。
【図６】図４の光源部のＢ−Ｂ線断面を示す図である。
【図７】図１の鏡用照明構造における光の進行方向を説明する説明図であり、鏡用照明構造を上から見た説明図である。
【図８】図７中のＣ部の拡大図である。
【図９】図１の鏡用照明構造における光の進行方向を説明する説明図であり、鏡用照明構造を横から見た説明図である。
【図１０】図９中のＤ部の拡大図である。
【図１１】図９中のＥ部の拡大図である。
【図１２】図１のリフレクタの斜視図である。
【図１３】図８のリフレクタの変形例を示す図である。
【図１４】図９中のＤ部の変形例を示す図である。
【図１５】図９中のＥ部の変形例を示す図である。
【発明を実施するための形態】
【０００９】
本発明の一実施形態にかかる「鏡用照明構造」を図１〜１２を参照して説明する。図１に示す本例の鏡用照明構造１は浴室に適用されたものであり、浴室の壁１１に設置された鏡２の正面側エリア（即ち鏡２の使用者がいる位置）を照明するものである。本例の鏡２は、上下方向に延びた長方形の形状である。
【００１０】
鏡用照明構造１は、図１〜３に示すように、鏡２の左右両側の縁部分に設置された左右対称形状の一対のリフレクタ３Ｌ，３Ｒと、これらリフレクタ３Ｌ，３Ｒそれぞれに向けて光を照射する一対の光源部４Ｌ，４Ｒと、を備えている。
【００１１】
一方のリフレクタ３Ｌは、鏡２の左側の長辺に沿って上下に延びた薄板状に形成されている。他方のリフレクタ３Ｒは、鏡２の右側の長辺に沿って上下に延びた薄板状に形成されている。これら一対のリフレクタ３Ｌ，３Ｒは、光源部４Ｌ，４Ｒからの光を鏡２の正面側エリアに反射させて当該エリアを照明する。本例では、壁１１への取付けを容易にするため、一対のリフレクタ３Ｌ，３Ｒが鏡２と一体化されている。なお、図１中の斜線はリフレクタ３Ｌ，３Ｒの断面を示すものではなく、リフレクタ３Ｌ，３Ｒの所在範囲を示している。
【００１２】
光源部４Ｌ，４Ｒは、互いに同一構成であり、浴室の天井１２に設置されている。本例では天井１２の４箇所にダウンライトが設けられており、そのうち鏡２の斜め上方に設置された１つのダウンライト１３の両側に一対の光源部４Ｌ，４Ｒが設置されている。即ち、光源部４Ｌ，４Ｒは、リフレクタ３Ｌ，３Ｒの斜め上方からリフレクタ３Ｌ，３Ｒに向けてそれぞれ光を照射する。図２，３中のＲ１は、左側の光源部４Ｌの光照射範囲を示しており、図２中のＲ２は、右側の光源部４Ｒの光照射範囲を示している。図２，３に示すとおり、光源部４Ｌ，４Ｒは、鏡２を避け、リフレクタ３Ｌ，３Ｒを狙って光を照射できる指向性を有している。
【００１３】
光源部４Ｌ，４Ｒは、図２〜６に示すように、一列に並べられた複数のＬＥＤ（発光素子）４１と、基板４２と、コネクタ４３と、ケース４４と、ソケット４５と、シール部材４６と、シリンドリカルレンズ（集光レンズ）４７と、ハウジング４８（図２，３に示す。）と、を備えている。本例の光源部４Ｌ，４Ｒは、シリンドリカルレンズ４７を用いることでＬＥＤ４１の光をリフレクタ３Ｌ，３Ｒの幅方向に集めている。また、本例の光源部４Ｌ，４Ｒは、ＬＥＤ４１を複数用いてリフレクタ３Ｌ，３Ｒの上端から下端までの全域に光を照射している。
【００１４】
リフレクタ３Ｌ，３Ｒは、アクリル樹脂で構成されており、図８，１０，１１に示すように、表面層３１と、平板状の背面層３３と、これらの間の空洞である中間層３２と、を備えている。表面層３１の浴室側の面は平面であり、鏡２の表面と面一に形成されている。表面層３１の裏側面（中間層３２との境界面）には、アルミニウムが蒸着されており、光源部４Ｌ，４Ｒからの光を反射するように形成されている。また、表面層３１の裏側面は、図１２等に示すように、縦方向及び横方向に分割された複数の平面で構成されている。即ち、表面層３１の裏側面は、複数の反射面３４と、隣り合う反射面３４同士を繋いだ面と、により断面鋸歯状に形成されている。表面層３１の裏側面は一面で構成することも可能であるが、本例のように断面鋸歯状に形成することでリフレクタ３Ｌ，３Ｒの厚みを薄くできる。
【００１５】
図７，８に示すように、リフレクタ３Ｒの幅方向においては、略平行に入射する光源部４Ｒからの光線Ｌ１，Ｌ２，Ｌ３を鏡２の幅方向（左右方向）に分散させて鏡２の正面側エリアにおける照度を均一化するように、複数の反射面３４の面角度を段階的に変化させている。即ち、鏡２寄りの反射面３４ａは、光線Ｌ１を鏡２の左端側に反射させる角度となっており、鏡２から離れた反射面３４ｃは、光線Ｌ３を鏡２の右端側に反射させる角度となっており、中央の反射面３４ｂは、光線Ｌ２を光線Ｌ１と光線Ｌ３の間に反射させる角度となっている。当該構成は、左右対称形状であるリフレクタ３Ｌにおいても同様である。
【００１６】
図９〜１１に示すように、リフレクタ３Ｌの上下方向においては、異なる角度で入射する光源部４Ｌからの各光線を略水平方向に反射させるように、複数の反射面３４の面角度を段階的に変化させている。即ち、最上部Ｄにおける反射面３４の面角度は鉛直に近い角度となっており、最下部Ｅにおける反射面３４の面角度は水平に近い角度となっている。このような構成により、鏡２の正面側エリアにおける照度を均一化できる。また、鏡２の使用者の顔に影が出来難い。当該構成は、左右対称形状であるリフレクタ３Ｒにおいても同様である。
【００１７】
上記鏡用照明構造１においては、リフレクタ３Ｌ，３Ｒが白みを帯びて光ることで、照明付き鏡のように見せることができ、実際に鏡用照明として機能する。また、リフレクタ３Ｌ，３Ｒは、光源を備えておらず電線が接続されていないので、鏡２と一緒に壁１１に容易に取り付けることができる上、防水構造も不要である。さらに、光源部４Ｌ，４Ｒやダウンライト１３は天井１２に設置されており、壁１１の裏側に光源用の電線を配索する必要がないので、壁１１の裏側に配索スペースを設ける必要がなく、浴室の面積を大きく取ることができる。
【００１８】
また、上述したリフレクタ３Ｌ，３Ｒの反射面３４はいずれも平面であるが、図１３〜１５に示すリフレクタ１０３Ｌ，１０３Ｒのように、曲面の反射面１３４としてもよい。図１３は、図８のリフレクタ３Ｒの変形例を示す図である。図１４は、図９中のリフレクタ３ＬのＤ部の変形例を示す図である。図１５は、図９中のリフレクタ３ＬのＥ部の変形例を示す図である。図１３のリフレクタ１０３Ｒは、各反射面１３４が、図８の複数の反射面３４ａ，３４ｂ，３４ｃの役割を果たす。また、図１３〜１５に示すリフレクタ１０３Ｌ，１０３Ｒは、曲面のため上述したリフレクタ３Ｌ，３Ｒよりも光を拡散することができる。
【００１９】
また、上述した各リフレクタ３Ｌ，３Ｒはそれぞれ一部品で構成されていたが、分割パーツが繋げ合わされて構成されていてもよい。例えば、縦に５分割された分割パーツが繋げ合わされて各リフレクタ３Ｌ，３Ｒが構成されていてもよい。このような構成を採用することで、様々なサイズの鏡に対応できる。さらに、本発明のリフレクタは、必ずしも鏡の左右両側の縁部分に設置される必要はなく、鏡の縁部分（外周部分）または周囲の少なくとも一部に設置されればよい。
【００２０】
また、上述した光源部４Ｌ，４Ｒは天井１２に設置されていたが、本発明の光源部は、リフレクタよりも上方かつ鏡が設置された壁以外に設置されていればよい。例えば、上述した壁１１と対向する壁に光源部４Ｌ，４Ｒが設置されていてもよい。また、上述した光源部４Ｌ，４Ｒは、シリンドリカルレンズ４７を用いることで光線を一方向に集めていたが、シリンドリカルレンズ４７の代わりに円筒面鏡を用いてもよい。
【００２１】
また、上述した実施形態では、浴室に適用された鏡用照明構造を説明したが、本発明の鏡用照明構造は、浴室に限定されず、洗面所、トイレ、更衣室などの様々な場所に適応することができる。
【００２２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２３】
１  鏡用照明構造
２  鏡
３Ｌ，３Ｒ，１０３Ｌ，１０３Ｒ  リフレクタ
４Ｌ，４Ｒ  光源部
１１  壁
３４，１３４  反射面
４１  ＬＥＤ（発光素子）
４７  シリンドリカルレンズ（集光レンズ）
【図１】
2020167086.tif 000003
【図２】
2020167086.tif 000004
【図３】
2020167086.tif 000005
【図４】
2020167086.tif 000006
【図５】
2020167086.tif 000007
【図６】
2020167086.tif 000008
【図７】
2020167086.tif 000009
【図８】
2020167086.tif 000010
【図９】
2020167086.tif 000011
【図１０】
2020167086.tif 000012
【図１１】
2020167086.tif 000013
【図１２】
2020167086.tif 000014
【図１３】
2020167086.tif 000015
【図１４】
2020167086.tif 000016
【図１５】
2020167086.tif 000017